(57)【要約】      （修正有）【課題】襦袢本体に対する左右の各袖の着脱が容易に行え、襦袢本体に対する各袖の裄丈が大小に調節できる簡易型の男用半襦袢を得る。【解決手段】襦袢本体１と、襦袢本体１の身頃２の上端左右に縫い付けられて、身頃２の横外側方に向けて突出する半袖状の袖付け筒５・５と、襦袢本体１とは別に縫製された左右の袖６・６と、襦袢本体１の各袖付け筒５の外面に取り付けられた第１面ファスナ７と、各袖６の付け根部の内面に取り付けられて、第１面ファスナ７に係着する第２ファスナ８とを含む。各袖６の付け根部が、襦袢本体１の袖付け筒５に被さる状態で第１面ファスナ７と第２面ファスナ８とを介して着脱できる。襦袢本体１に対する各袖６の裄丈が、第１面ファスナ７に対する第２面ファスナ８の係着位置を左右にズラすことによって調節可能である。【選択図】図１
0003117132.tif 000002
【実用新案登録請求の範囲】
【請求項１】
襦袢本体（１）と、
襦袢本体（１）の身頃（２）の上端左右に縫い付けられて、身頃（２）の横外側方に向けて突出する半袖状の袖付け筒（５）・（５）と、
襦袢本体（１）とは別に縫製された左右の袖（６）・（６）と、
襦袢本体（１）の各袖付け筒（５）の外面に取り付けられた第１面ファスナ（７）と、
各袖（６）の付け根部の内面に取り付けられて、第１面ファスナ（７）に係着する第２ファスナ（８）とを含み、
各袖（６）の付け根部が、襦袢本体（１）の袖付け筒（５）に被さる状態で第１面ファスナ（７）と第２面ファスナと（８）とを介して着脱自在であり、
襦袢本体（１）に対する袖（６）の裄丈が、第１面ファスナ（７）に対する第２面ファスナ（８）の係着位置を左右方向に変更することによって調節可能であることを特徴とする襦袢。
【請求項２】
第１面ファスナ（７）は、全体が上下細幅で左右横長のテープ状に形成されて、係着面にループ状の突起を有する雌型面ファスナであり、
襦袢本体（１）の各袖付け筒（５）の上下の前後に対向する部位に、第１面ファスナ（７）が合計４個それぞれ左右横長の横向き姿勢で取り付けられており、
第２面ファスナ（８）は、全体が角形または丸形のピース状に形成されて、係着面にフック状の突起を有する雄型面ファスナであり、
各袖（６）の付け根部の上下の前後に対向する部位に、第２面ファスナ（８）が合計４個それぞれ取り付けられている請求項１記載の襦袢。
【請求項３】
襦袢本体（１）は、綿製の身頃（２）が背縫いを省略して脇縫いをしただけの男用半襦袢であり、
各袖付け筒（５）は、綿で縫製してあり、
各袖（６）は、柄入りの絹で縫製してある請求項２記載の襦袢。
【考案の詳細な説明】
【技術分野】
【０００１】
本考案は、襦袢本体に対して裄丈が調節可能な脱着式の両袖を備えた襦袢に関する。
【背景技術】
【０００２】
この種の襦袢において、襦袢本体の身頃の上端左右に面ファスナを介して左右の袖を着脱可能に取り付けることは、特許文献１ないし３に公知である。
【０００３】
袖が着脱式の襦袢によれば、例えば形態の異なる複数の袖を用意しておき、襦袢本体に好みの袖を付け替えることができる。高級な袖の部分は外しておき、襦袢本体のみを頻繁に洗濯できる。などのメリットが出る。
【０００４】
【特許文献１】特開２００１−１８１９０２号公報（段落番号００２２、図１）
【特許文献２】実開昭５９−４７０３号公報（図１、５）
【特許文献３】特開平１１−３０２９０１号公報（段落番号００２８〜００２９、図１）
【考案の開示】
【考案が解決しようとする課題】
【０００５】
しかし、従来のこの種襦袢は、襦袢本体の上端左右に設けた袖取付口に各袖の付け根部を縫い付けるに代えて面ファスナの類で止める形態であるため、袖取付口まわりの特に左右幅寸法に余裕がなく、第１に身頃に対する袖の装着作業が面倒であった。
【０００６】
特許文献３では、襦袢本体に対する袖の裄丈を調節可能にすることが予測されてはいるが、前述のとおり袖取付口まわりの左右幅寸法に余裕がないので、袖の裄丈の調節量は極く僅かに限られる。また、ファスナが外側から見えて体裁が悪いなどのおそれがある。
【０００７】
そこで本件考案の目的は、襦袢本体に各袖が面ファスナを用いて簡単に付けられる襦袢を提供することにある。本考案の目的は、とくに襦袢本体側に面ファスナが簡単に取り付けられて安価に提供できる襦袢を得るにある。本考案の目的は、襦袢本体に袖を付けたとき、面ファスナが外側から完全に隠れて体裁の良い襦袢を提供することにある。
【０００８】
本考案の他の目的は、襦袢本体に対する袖の裄丈を大きく調節できる襦袢を提供することにある。
【課題を解決するための手段】
【０００９】
本考案に係る襦袢は、襦袢本体１と、襦袢本体１の身頃２の上端左右に縫い付けられて、身頃２の横外側方に向けてに突出する半袖状の袖付け筒５・５と、襦袢本体１とは別に縫製された左右の袖６・６と、襦袢本体１の各袖付け筒５の外面に取り付けられた第１面ファスナ７と、各袖６の付け根部の内面に取り付けられて、第１面ファスナ７に係着する第２面ファスナ８とを含む。各袖６はこれの付け根部が、襦袢本体１の袖付け筒５に被さる状態で第１面ファスナ７と第２面ファスナ８とを介して着脱自在であり、襦袢本体１に対する袖６の裄丈が、第１面ファスナ７に対する第２面ファスナ８の係着位置を左右方向に変更することによって調節可能であることを特徴とする。
【００１０】
更に具体的にみると、第１面ファスナ７は、全体が上下細幅で左右横長のテープ状に形成されて、係着面にループ状の突起を有する雌型面ファスナであり、襦袢本体１の各袖付け筒５の上下の前後に対向する部位に、第１面ファスナ７が合計４個それぞれ左右横長の横向き姿勢で取り付けられている。第２面ファスナ８は、全体が角形または丸形のピース状に形成されて、係着面にフック状の突起を有する雄型面ファスナであり、各袖６の付け根部の上下の前後に対向する部位に、第２面ファスナ８が合計４個それぞれ取り付けられている。
【００１１】
襦袢本体１は、綿製の身頃２が背縫いを省略して脇縫いをしただけの男用半襦袢であり、各袖６は、柄入りの絹で縫製する。各袖付け筒５も綿で縫製する。
【考案の効果】
【００１２】
請求項１記載の本考案に係る襦袢によれば、襦袢本体１の上端左右に袖付け筒５・５がそれぞれ突出状態で付設されており、各袖付け筒５が十分な左右長さを有する。したがって、各袖付け筒５の外面に第１面ファスナ７を所望位置に取り付けやすい。この袖付け筒５の外周りに各袖６の付け根部を被せ付けることにより、両者５・６に設けた第１および第２の面ファスナ７・８を正しく位置決めして、襦袢本体１に各袖６をワンタッチ操作で簡単に取り付けられるし、取り外すことができる。
【００１３】
請求項１記載の本考案によれば、第２面ファスナ８は、各袖６の付け根部の開口縁近くの外側からは見えない部位の内面に配することができるし、襦袢本体１の袖付け筒５側の第１面ファスナ７は袖６の付け根部で確実に覆い隠せる。したがって、襦袢本体１に袖６を付けた状態において、第１および第２面ファスナ７・８が外側からは見えず体裁の良いものにできる。
【００１４】
請求項１記載の本考案によれば、襦袢本体１の袖付け筒５に対して各袖６の付け根部を左右方向に大きく位置をずらせても、第１および第２の面ファスナ７・８どうしが外側からはなお見えないようすることができるうえに、襦袢本体１に対する各袖６の裄丈が十二分に大きく調節できる。
【００１５】
請求項２記載の本案襦袢によれば、襦袢本体１の袖付け筒５の外側前後面の上下に、左右横長としたテープ状の第１面ファスナ７をそれぞれ４個独立して設ける。これに対応して、各袖６の付け根部の内側前後面の上下には、ピース状の第２面ファスナ８をそれぞれ４個独立して設けてある。したがって、第１面ファスナ７の左右長さを大きく設定しておくことにより、第１面ファスナ７の左右長さ寸法分だけ袖６の裄丈を大小に調節できる。第１面ファスナ７および第２面ファスナ８が、例えば上下幅方向にも大なる寸法を有して面状の拡がりを持っていると、第１・第２の面ファスナ７・８どうしが部位を構わず係着し合って、装着状態で袖６に雛付けが生じるなど、襦袢本体１に袖６を付ける作業が却って面倒になりがちである。この点、本考案ではかかる不利がなく、襦袢本体１に袖６を正しくワンタッチで位置決め装着するに有利である。その際に、第１・第２の面ファスナ７・８は、それぞれの上下の前後対向位置に配してあるので、襦袢本体１に対して各袖６を２点支持で安定的に装着でき、袖６の雛付きや型崩れをよく防止する。第１および第２ファスナ７・８は、必要最小限の数を以て、不必要な大きさにせずとも済むので、製作コストの低減化にも貢献する。
【００１６】
更に請求項２記載の本考案によれば、第１面ファスナ７には、係着面にループ状（ないしパイル状）の突起を有する雌型面ファスナを用いたので、両袖６・６を外して、汗で汚れやすい襦袢本体１側をのみ頻繁に洗濯する場合にも、第１面ファスナ７が同時に洗濯する際の他の衣類に係着してその生地を傷めることをよく防止できる。その一方で、袖６側の第２面ファスナ８は、係着面にフック状の突起を有する雄型面ファスナとしたので、不使用時に袖６を折り畳んだ状態において前側と後ろ側の上下の第２面ファスナ８どうしが軽く係着し合うことなり、柄入り高級生地（絹）とすることが多い袖６を端正に折り畳んで仕舞っておくに有利である。内側に配した第２面ファスナ８が袖６の外面を傷付けることもない。
【００１７】
請求項３記載の本案襦袢によれば、襦袢本体１の身頃２は綿で、背縫いを省略して脇縫いをしただけとし、袖６は柄入りの絹で縫製した半襦袢としたので、全体として安価に仕上げてありながらも、ひとつの襦袢本体１に形態や柄が異なる袖６を複数用意しておいて付け替えれば、高級感を出すことができる。襦袢本体１は、身頃２および両袖付け筒５・５を綿製としてあるので、両袖６を外した状態で繰り返しの洗濯にもよく耐え、簡易型の半襦袢において特に有利である。
【考案を実施するための最良の形態】
【００１８】
図面は男性用の簡易型半襦袢を例示しており、襦袢本体１の身頃２の上端左右（脇縫い線上の上端）には、袖取付口３が設けられており、この各袖取付口３に半袖状の袖付け筒５の基端が身頃２の横外側方にそれぞれ突出するよう縫い付けられている。身頃２は、背縫いを省略して脇縫いをしただけの簡易型としてある。襦袢本体１の身頃２および袖付け筒５は、吸汗性が良く丈夫で洗濯性に優れる木綿で縫製した。各袖付け筒５の左右（そで幅）方向の長さは７５mmとした。
【００１９】
襦袢本体１には、これとは別に縫製された左右一対の袖６・６を備えており、襦袢本体１の各袖付け筒５に各袖６をそれぞれ着脱自在に付けることができる。各袖６は、柄入りの絹製とした。
【００２０】
襦袢本体１に左右の各袖６を着脱自在に装着するために、襦袢本体１の各袖付け筒５側には第１面ファスナ７を、各袖６側に第２面ファスナ８をそれぞれ取り付けてある。
【００２１】
第１面ファスナ７は、全体が上下細幅で左右横長のテープ状に形成されていて、係着面にループ状の突起を有する雌型面ファスナであり、襦袢本体１の各袖付け筒５の上下の前後に対向する部位に、第１面ファスナ７が合計４個それぞれ左右横長の横向き姿勢で取り付けられている。第１面ファスナ７は、上下幅寸法を２５mm、左右長さ寸法を５０mmとし、前記袖取付口３から離して縫い付けた。
【００２２】
第２面ファスナ８は、全体が角形（または丸形）のピース状に形成されていて、係着面にフック状の突起を有する雄型面ファスナであり、各袖６の付け根部の上下の前後に対向する部位に、第２面ファスナ８が合計４個それぞれ取り付けられている。第２面ファスナ８は、一辺の長さを第１面ファスナ７の上下幅と同一の２５mmとした正方形に形成し、各袖６の付け根部分の開口縁から少し離して縫い付けた。
【００２３】
襦袢本体１に左右の各袖６を取り付けるに際しては、各袖付け筒５の外周りに各袖６の付け根部を被せ、対応する第１面ファスナ７に第２面ファスナ８を４箇所で係着する。このとき、第２面ファスナ８を第１面ファスナ７の身頃２寄りに係着すれば、該当の袖６の裄丈（そで幅）は小さくなり、第２面ファスナ８を第１面ファスナ７の身頃２側から離れる部位に係着すれば、該当の袖６の裄丈は大となる。
【００２４】
請求項１記載の本考案においては、袖６側の第２面ファスナ８を左右横長にし、袖付け筒５側の第１面ファスナ７は角形ないし丸形のピース状にしてもよい。更に第１面ファスナ７を図示例の左右横長形状にする場合、袖６の付け根部の開口縁に沿うよう１本の第２面ファスナ８を縫い付けてあってもよいし、第１面ファスナ７と第２面ファスナ８とが上記とは逆の形状であってもよい。要は、第１面ファスナ７と第２面ファスナ８とのいずれか一方が、５０mm前後の左右長さに設定されておればよい。
【図面の簡単な説明】
【００２５】
【図１】正面から見た斜視図
【符号の説明】
【００２６】
１  襦袢本体
２  身頃
５  袖付け筒
６  袖
７  第１面ファスナ
８  第２面ファスナ
【図１】
0003117132.tif 000003